(57)【要約】【課題】部屋の天井部に横引き状態の換気配管を設ける必要がなく、横引き配管の設置に起因する問題を解消できるようにすること。【解決手段】建築物の隣接する部屋１５間において、部屋１５の外壁側に第１パイプスペース１９Ａを区画する。第１パイプスペース１９Ａと部屋１５との間の壁２０に吸気口２８を設けるとともに、外壁に排気口３０を設ける。排気口３０に換気装置３１を接続して、その換気装置３１と吸気口２８との間の第１パイプスペース１９Ａを換気路３６とする。複数階の建築物１１においては、第１パイプスペース１９Ａを上層階と下層階との間に連通状態で配置し、吸気口２８を各階の部屋１５に対応して設けるとともに、排気口３０及び換気装置３１を上層階と対応する位置に設ける。【選択図】図２
2011162953.tif 000002
【特許請求の範囲】
【請求項１】
部屋の外壁側に壁を隔ててパイプスペースを区画し、そのパイプスペースと部屋との間の壁に吸気口を設けるとともに、前記外壁に排気口を設け、その排気口に換気装置を接続し、その換気装置と前記吸気口との間のパイプスペースを換気路としたことを特徴とする建築物。
【請求項２】
前記パイプスペースを隣接する部屋間に設け、両部屋とパイプスペースの壁との間に吸気口を設けたことを特徴とする請求項１に記載の建築物。
【請求項３】
前記換気装置の吸気側にダクトを接続したことを特徴とする請求項２に記載の建築物。
【請求項４】
前記パイプスペース内において、前記吸気口にダクトを接続し、そのダクトの吐出側開口を隣接する他のダクトの吐出側開口を指向しない向きとなるようにしたことを特徴とする請求項２または３に記載の建築物。
【請求項５】
前記パイプスペース内において、前記吸気口にダクトを接続し、そのダクトの吸引側の開口を前記換気装置のダクトの吐出側の開口よりも下方位置に配置したことを特徴とする請求項２〜４のうちのいずれか一項に記載の建築物。
【請求項６】
前記パイプスペースを上層階と下層階との間に連通状態で配置し、前記吸気口を各階の部屋に対応して設けるとともに、排気口及び換気装置を前記上層階に設けたことを特徴とする請求項１〜５のうちのいずれか一項に記載の建築物。
【請求項７】
前記パイプスペース内に部屋内の衛生器具に接続された配管を上下方向に通したことを特徴とする請求項１〜６のうちのいずれか一項に記載の建築物。
【発明の詳細な説明】
【技術分野】
【０００１】
この発明は、病院や老人ホーム，あるいはビジネスホテル等に適する建築物に係り、特にその建築物における部屋の換気構造に関するものである。
【背景技術】
【０００２】
従来、この種の建築物としては、例えば特許文献１に開示されるような構成が提案されている。この従来構成においては、複数階を有する建築物に空間が縦方向に形成されている。その空間内には、各階に対応してトイレ、洗面所、浴室等よりなる水廻りユニットが配置されている。空間の最下部及び最上部には、外気の導入出部が設けられている。そして、各階の水廻りユニットには、空間内から空気を導入して空間外に排出する換気装置が設けられている。
【先行技術文献】
【特許文献】
【０００３】
【特許文献１】特開平７−２０７９５９号公報
【発明の概要】
【発明が解決しようとする課題】
【０００４】
ところが、この従来の建築物においては、各階の水廻りユニットを収容するための空間が縦方向に連続して形成されているものの、各階の水廻りユニットには換気装置が各別に設けられて、各水廻りユニット内の換気が独立して行われるようになっている。このため、水廻りユニットの上端と上階の床板の下面との間に横引きの換気配管が必要となる。従って、各階の天井部に配管のためのスペースを必要となるため、水廻りユニットとして、広い内部スペースを有する階高のものを用いることができず、しかも、地震の際に横引きの配管が破損しやすいという問題があった。
【０００５】
この発明は、このような従来の技術に存在する問題点に着目してなされたものである。その目的は、横引き配管が不要になる建築物を提供することにある。
【課題を解決するための手段】
【０００６】
上記の目的を達成するために、この発明は、部屋の外壁側に壁を隔ててパイプスペースを区画し、そのパイプスペースと部屋との間の壁に吸気口を設けるとともに、前記外壁に排気口を設け、その排気口に換気装置を接続し、その換気装置と前記吸気口との間のパイプスペースを換気路としたことを特徴としている。
【０００７】
従って、この発明の建築物において、換気装置が作動されると、部屋の空気が吸気口からパイプスペース内に吸引され、パイプスペースを換気路として用いて流れた後、排気口から外部に排出される。よって、部屋の天井部に横引き状態の換気配管を設ける必要がない。このため、地震時の配管損傷のおそれが大幅に減少するとともに、部屋の階高を確保して、広い有効スペースを得ることができる。
【０００８】
前記の構成において、前記パイプスペースを隣接する部屋間に設け、両部屋とパイプスペースの壁との間に吸気口を設けるとよい。
前記の構成において、前記換気装置の吸気側にダクトを接続するとよい。
【０００９】
前記の構成において、前記パイプスペース内において、前記吸気口にダクトを接続し、そのダクトの吐出側開口を隣接する他のダクトの吐出側開口を指向しない向きとなるようにするとよい。
【００１０】
前記の構成において、前記パイプスペース内において、前記吸気口にダクトを接続し、そのダクトの吸引側の開口を前記換気装置のダクトの吐出側の開口よりも下方位置に配置したするとよい。
【００１１】
前記の構成において、前記パイプスペースを上層階と下層階との間に連通状態で配置し、前記吸気口を各階の部屋に対応して設けるとともに、排気口及び換気装置を前記上層階に設けるとよい。
【００１２】
さらに、前記の構成において、前記パイプスペース内に部屋内の衛生器具に接続された配管を上下方向に通すことが好ましい。
【発明の効果】
【００１３】
以上のように、この発明によれば、部屋の天井部に横引き状態の換気配管を設ける必要がなく、横引き配管の設置に起因する問題を解消できるという効果を発揮する。
【図面の簡単な説明】
【００１４】
【図１】一実施形態の建築物を示す横断面図。
【図２】パイプスペースを示す部分縦断面図。
【図３】パイプスペースを示す部分拡大縦断面図。
【図４】パイプスペースを示す部分拡大横断面図。
【図５】図２とは別のパイプスペースを示す部分縦断面図。
【図６】図５のパイプスペースを示す部分拡大横断面図。
【発明を実施するための形態】
【００１５】
以下に、この発明を具体化した建築物の一実施形態を、図面に従って説明する。
図１及び図２に示すこの実施形態の建築物１１は複数階（例えば４階）を有し、各階１０において外壁１２と廊下１３側の内壁１４との間に、複数の居住用の部屋１５が仕切壁１６により、廊下１３に沿って隣接するように並設状態で区画されている。各部屋１５に対応して内壁１４には、開閉可能なドア１７ａを備えた入口１７が設けられている。１つおきの仕切壁１６の内外両側縁の位置には、建物躯体の骨格（柱）１８が配置されている。なお、建築物１１の端部においては、部屋１５の区割りの関係で、２つの仕切壁１６を間においた状態で骨格１８が設けられている。
【００１６】
隣接する部屋１５間の外壁１２側の位置には、二部屋共通のパイプスペース１９が壁２０により区画されている。パイプスペース１９は、前記骨格１８が配置されていない第１パイプスペース１９Ａと、骨格１８が配置された第２パイプスペース１９Ｂとから構成されている。そして、図２及び図５から明らかなように、これらのパイプスペース１９Ａ，１９Ｂが、建築物１１の複数の階にわたって上下に対応するように配置されている。なお、図２及び図５には、第１パイプスペース１９Ａが示されているが、配管等の機器を除けば、第２パイプスペース１９Ｂも第１パイプスペース１９Ａとほぼ同様に構成されている。
【００１７】
図１及び図４に示すように、１つおきに配置されたＰ１部分の第１パイプスペース１９Ａの部屋１５側において、壁２０に近接してその両側面における床部２６には、衛生器具としての便器２１が部屋１５間の仕切壁１６を介して対称状に配置されるように設置されている。１つおきに配置されたＰ２部分の第２パイプスペース１９Ｂの部屋１５側において、壁２０の両側面には、前記便器２１とは種類が異なる衛生器具としての洗面台２２が、部屋１５間の仕切壁１６を介して対称状に配置されるように取り付けられている。つまり、１つおきに配置された第１パイプスペース１９Ａ及び第２パイプスペース１９Ｂには、種類の異なった衛生器具としての便器２１及び洗面台２２が設置されている。
【００１８】
図１及び図６に示すように、前記建築物１１の端部において、２つ並べて配置されたＰ３部分の第１パイプスペース１９Ａの部屋１５側では、壁２０の一方の側面側に洗面台２２が取り付けられるとともに、他方の側面に近接する床部２６には便器２１が設置されている。また、建築物１１の隅角部に配置されたほぼ半割り形状の第２パイプスペース１９Ｂの部屋１５側では、壁２０の側面に洗面台２２が取り付けられている。
【００１９】
以上の便器２１と洗面台２２との配置により、各部屋１５において衛生器具としての便器２１と洗面台２２とが対向して配置されている。そして、各部屋１５内において、便器２１と対応する側の仕切壁１６に沿ってベッド２３が設置されることにより、そのベッド２３の衝立状のフット側ボード２３ａによって便器２１が入口１７側から隠されるようになっている。なお、２３ｂは同じくベッド２３の衝立状のヘッド側ボードを示す。
【００２０】
図２，図４及び図６に示すように、前記第１パイプスペース１９Ａ内には、配管としての中水用の給水管２４（Ｐ１位置の第１パイプスペース１９Ａ）、または中水用の給水管２４及び上水用の給水管３７（Ｐ３位置の第１パイプスペース１９Ａ）と、排水管２５（Ｐ１，Ｐ３位置の第１パイプスペース１９Ａ）とが、各階１０の床部２６を貫通して複数階にわたり縦方向に延びるように配置されている。そして、各パイプスペース１９Ａ，１９Ｂの外側に設けられた便器２１が中水用の給水管２４に接続され、洗面台２２の蛇口３８が上水用の給水管３７に接続され、便器２１及び洗面台２２が排水管２５に接続されている。
【００２１】
図４に示すように、Ｐ１部分の第１パイプスペース１９Ａ内には、雨水排出管２７が建築物１１の各階の床部２６を貫通して複数階にわたり縦方向に延びるように延長状態で配置されている。
【００２２】
図２及び図４に示すように、各部屋１５において各第１パイプスペース１９Ａの壁２０の下部には、それぞれ吸気口２８が設けられている。これらの吸気口２８は、便器２１の後部に近接して配置されている。第１パイプスペース１９Ａ内において各吸気口２８には送気ダクト２９が接続されている。そして、各送気ダクト２９は各吸気口２８から上方に延長され、その吐出側の開口２９ａが上向きになっている。従って、図２から明らかなように、各送気ダクト２９の吐出側の開口２９ａは隣接する他の部屋１５の送気ダクト２９の開口２９ａを指向しない向きとなるように配置されている。
【００２３】
図３，図４及び図６に示すように、前記各第１パイプスペース１９Ａに対応する外壁１２には、フード３０ａを備えた排気口３０が上下方向に間隔をおいて設けられている。この実施形態においては、これらの排気口３０は、建築物１１の偶数階の位置に配置されている。建築物１１の偶数階の位置において第１パイプスペース１９Ａ内には換気装置３１が各排気口３０に接続されている。この換気装置３１は、シロッコファンよりなる換気ファン３２と、その換気ファン３２の吸引側に接続された吸引ダクト３３と、換気ファン３２の排出側に接続された排出ダクト３４とから構成されている。そして、排出ダクト３４の先端部が排気口３０に接続されている。また、換気装置３１における吸引ダクト３３の吸引側の開口３３ａが、偶数階における第１パイプスペース１９Ａ内において、前記各送気ダクト２９の吐出側の開口２９ａより下方の位置に配置されている。
【００２４】
前記各第１パイプスペース１９Ａに対応して、建築物１１における１階おきの上層階と下層階との間、すなわち下部に位置する奇数階と上部に位置する偶数階との間の床部２６には、連通孔３５が設けられている。そして、この連通孔３５を介して、第１パイプスペース１９Ａが上層階と下層階との間で連通されている。そして、前記連通孔３５を含んで、吸引ダクト３３の吸引側の開口３３ａと、各送気ダクト２９の吐出側の開口２９ａとの間における第１パイプスペース１９Ａが、換気装置３１の換気路３６となっている。
【００２５】
次に、前記のように構成された建築物１１における換気装置３１の作用を説明する。
この建築物１１においては、パイプスペースとしての第１パイプスペース１９Ａ内に配置された換気装置３１が常時作動される。そして、換気装置３１の換気ファン３２が回転されると、隣接した奇数階及び偶数階においてそれぞれ隣接した４つの部屋１５内の空気が、吸気口２８から送気ダクト２９内に吸い込まれて、その送気ダクト２９の吐出側の開口２９ａから第１パイプスペース１９Ａ内の換気路３６に吐出される。そして、この空気が換気装置３１における吸引ダクト３３の吸引側の開口３３ａから吸引ダクト３３内に吸引され、換気ファン３２及び排出ダクト３４を介して、排気口３０から建物外部に排出される。
【００２６】
従って、一基の換気ファン３２により第１パイプスペース１９Ａを介して合計４つの部屋１５の換気が同時に行われる。また、吸気口２８が各部屋１５において、便器２１の後部近接に開口するように配置されているため、便器２１の周辺を含む部屋内の臭気を効果的に排出することができる。
【００２７】
従って、この実施形態によれば、以下のような効果を得ることができる。
（１）  この建築物では、衛生器具の配管が給水管２４，排水管２５等と便器２１や洗面台２２との間の短い配管接続を除き、配管類が部屋１５の床部や天井部に沿って横方向に延長されることを回避でき、いわゆる横引き配管が不要になる。このため、床部や天井部に配管類のためのスペースを設ける必要がなくなって、部屋１５の上下空間を広く確保することができるとともに、配管工事が容易になる。しかも、横引き配管が部屋１５の天井部や床部に延長されることがないため、地震等の際に配管類が破損するおそれが少なくなる。
【００２８】
（２）  この建築物では、部屋の改修を行う場合、この部屋の横引き配管が下階の天井面に存在しないため、当該部屋の工事のみを行えばよく、従って、下階の工事は不要になるため、他室への影響や迷惑を回避できる。
【００２９】
（３）  この建築物では、前記第１パイプスペース１９Ａが隣接する部屋１５間に設けられている。このため、隣接する部屋１５間の第１パイプスペース１９Ａを共通の換気路３６として用いることができる。よって、各部屋１５ごとに、排気口３０や換気装置３１を各別に設ける必要がなく、換気構造を簡略化することができるとともに、省スペース化を図ることができる。
【００３０】
（４）  この建築物では、吸気口２８が各部屋１５において便器２１の後部近接に開口するように配置されているため、便器２１の周辺を含む部屋内の臭気を効果的に排出して、快適な換気を行うことができる。
【００３１】
（５）  この建築物では、前記第１パイプスペース１９Ａ内において、吸気口２８に送気ダクト２９が接続され、その送気ダクト２９の吐出側の開口２９ａが隣接する他の部屋１５の送気ダクト２９の吐出側の開口２９ａを指向しない向きとなるように配置されている。このため、隣接する部屋１５間において、吸気口２８及び第１パイプスペース１９Ａを介して音漏れが生じることを抑制することができる。
【００３２】
（６）  この建築物では、前記第１パイプスペース１９Ａが上層階と下層階との間に連通状態で配置され、排気口３０及び換気装置３１が上層階（偶数階）と対応する位置に設けられている。このため、上層階と下層階の部屋１５間において、第１パイプスペース１９Ａを共通の換気路３６として用いることができる。よって、上層階と下層階の部屋１５ごとに、排気口３０及び換気装置３１を各別に設ける必要がなく、換気構造を一層簡略化することができる。
【００３３】
（７）  この建築物では、前記第１パイプスペース１９Ａ内に部屋１５内の衛生器具の給水管２４，排水管２５等が通されている。このため、第１パイプスペース１９Ａを衛生器具に対する給水管２４，排水管２５等のパイプスペースとして共用することができて、建築物の内部スペースの有効利用を図ることができる。
【００３４】
（８）  この建築物においては、骨格１８が存在しないために、内部の空間に余裕のある第１パイプスペース１９Ａに雨水排出管２７や換気装置３１等が設けられている。従って、雨水排出管２７や換気装置３１等の納まりを良好にできて、建築物のスペース効率を高めることができる。
【００３５】
（９）  この建築物では、部屋１５の外壁側にパイプスペースとしての第１パイプスペース１９Ａが区画されている。第１パイプスペース１９Ａと部屋１５との間の壁２０には吸気口２８が設けられるとともに、外壁１２には排気口３０が設けられている。排気口３０には換気装置３１が接続され、第１パイプスペース１９Ａが換気路３６となるように構成されている。このため、第１パイプスペース１９Ａ内において吸気口２８と排気口３０との間に換気用ダクト等を接続する必要がなく、換気構造が簡単になり部品点数を少なくすることができる。
【００３６】
（変更例）
なお、この実施形態は、次のように変更して具体化することも可能である。
・  前記実施形態においては、排気口３０や換気装置３１を偶数階に設けたが、つまり、１階おきに設けたが、３階おきや４階おき等、多数回おきに設けること。
【００３７】
・  排気口３０や換気装置３１を各階ごとに設けること。
【符号の説明】
【００３８】
１０…階、１１…建築物、１２…外壁、１５…部屋、１９…パイプスペース、１９Ａ…第１パイプスペース、２０…壁、２１…衛生器具としての便器、２２…衛生器具としての洗面台、２４…配管としての給水管、２５…配管としての排水管、２８…吸気口、２９…送気ダクト、２９ａ…吐出側の開口、３０…排気口、３１…換気装置、３２…換気ファン、３５…貫通孔、３６…換気路。
【図１】
2011162953.tif 000003
【図２】
2011162953.tif 000004
【図３】
2011162953.tif 000005
【図４】
2011162953.tif 000006
【図５】
2011162953.tif 000007
【図６】
2011162953.tif 000008